(57)【要約】【課題】  画像データの位置情報に基づいて検索することができるウェブページデータを作成すること。【解決手段】Ｗｅｂページデータ作成装置１０は、施設の位置情報を取得し、取得した位置情報を用いて施設の周辺情報を取得する。Ｗｅｂページデータ作成装置１０は、取得した位置情報および周辺情報をタグ情報としてＷｅｂページデータに記述してＷｅｂページデータを生成する。Ｗｅｂページデータ作成装置１０は、生成したＷｅｂページデータをＷＷＷサーバに対してアップロードする。【選択図】  図１
2006277168.tif 000002
【特許請求の範囲】
【請求項１】
ウェブ（Ｗｅｂ）ページデータの作成装置であって、
緯度および経度を含む位置情報を取得する位置情報取得手段と、
前記取得された位置情報に含まれる緯度および経度によって特定される位置の周辺情報を取得する周辺情報取得手段と、
前記取得された位置情報および周辺情報を含むウェブページデータを生成するウェブページデータ生成手段とを備えるウェブページデータ作成装置。
【請求項２】
請求項１に記載のウェブページデータ作成装置はさらに、
前記位置情報を入力するための位置情報入力手段を備え、
前記位置情報取得手段は、前記入力された位置情報を取得するウェブページデータ作成装置。
【請求項３】
請求項１に記載のウェブページデータ作成装置はさらに、
施設に関する情報を入力するための施設情報入力手段と、
施設に関する情報と位置情報とを対応付けて格納する位置情報格納手段を備え、
前記位置情報取得手段は、前記入力された施設に関する情報を用いて前記位置情報を取得するウェブページデータ作成装置。
【請求項４】
請求項１に記載のウェブページデータ作成装置はさらに、
施設に関する情報を入力するための施設情報入力手段を備え、
前記ウェブページデータ作成装置は、施設に関する情報と位置情報とを対応付けて格納する位置情報データベースサーバと接続されており、
前記位置情報取得手段は、前記入力された施設に関する情報を用いて前記位置情報データベースサーバから前記位置情報を取得するウェブページデータ作成装置。
【請求項５】
請求項１に記載のウェブページデータ作成装置はさらに、
施設に関する情報を入力するための施設情報入力手段と、
施設に関する情報と、位置情報および周辺情報と、を対応付けて格納する位置周辺情報格納手段とを備え、
前記位置情報取得手段は、前記入力された施設に関する情報を用いて位置情報および周辺情報を取得するウェブページデータ作成装置。
【請求項６】
請求項１に記載のウェブページデータ作成装置はさらに、
施設に関する情報を入力するための施設情報入力手段を備え、
前記ウェブページデータ作成装置は、施設に関する情報と、位置情報および周辺情報と、を対応付けて格納する位置周辺情報データベースサーバと接続されており、
前記位置情報取得手段は、前記入力された施設に関する情報を用いて前記位置周辺情報データベースサーバから前記位置情報および周辺情報を取得するウェブページデータ作成装置。
【請求項７】
請求項１ないし請求項６のいずれかに記載のウェブページデータ作成装置において
前記位置情報は施設の位置を緯度および経度で特定する情報であり、
前記周辺情報は、前記位置情報により特定される前記施設の中心位置、および前記中心位置に対する範囲を示す情報を含むウェブページデータ作成装置。
【請求項８】
請求項１ないし請求項６のいずれかにに記載のウェブページデータ作成装置において
前記位置情報は施設の位置を緯度および経度で特定する情報であり、
前記周辺情報は、前記位置情報により特定される前記施設の領域を示す多角形の頂点位置情報を含むウェブページデータ作成装置。
【請求項９】
請求項１ないし請求項４、請求項７、請求項８のいずれかに記載のウェブページデータ作成装置はさらに、
前記位置情報により特定される施設に関する情報を取得する施設情報取得手段を備え、
前記ウェブページデータ作成装置は、施設に関する情報と周辺情報とを対応付けて格納する周辺情報データベースサーバと接続されており、
前記周辺情報取得手段は、前記取得した施設に関する情報に基づいて、前記周辺情報データベースサーバから前記周辺情報を取得するウェブページデータ作成装置。
【請求項１０】
請求項１ないし請求項４、請求項７、請求項８のいずれかに記載のウェブページデータ作成装置はさらに、
施設に関する情報と周辺情報とを対応付けて格納する周辺情報格納手段と、
前記位置情報により特定される施設に関する情報を前記周辺情報格納手段から取得する施設情報取得手段とを備え、
前記周辺情報取得手段は、前記取得した施設に関する情報に基づいて、前記周辺情報データベースサーバから前記周辺情報を取得するウェブページデータ作成装置。
【請求項１１】
請求項１ないし請求項１０のいずれかに記載のウェブページデータ作成装置において、
前記ウェブページデータ生成手段は、ハイパーテキストマークアップ言語データにタグを用いて前記位置情報および周辺情報を記述することによって前記ウェブページデータを作成するウェブページデータ作成装置。
【請求項１２】
計算機において実行されるウェブ（Ｗｅｂ）ページデータの作成方法であって、
緯度および経度を含む位置情報を取得し、
前記取得された位置情報に含まれる緯度および経度によって特定される位置の周辺情報を取得し、
前記取得された位置情報および周辺情報を含むウェブページデータを生成するウェブページデータ作成方法。
【発明の詳細な説明】
【技術分野】
【０００１】
本発明は、ウェブ（Ｗｅｂ）ページデータを作成する技術に関する。
【背景技術】
【０００２】
入力された画像データに基づく画像ベースの画像データベースとして、任意の画像データが入力されると、入力された画像データの位置情報に基づいて、画像データベースから類似画像データが検索され、類似画像データの撮影場所名が、入力された画像データの撮影場所名として特定される技術が知られている。また、現在位置情報と、住所領域データメモリに格納されている各領域毎の各頂点位置情報とに基づいて、現在位置が属する住所領域を判別する技術が知られている。
【０００３】
【特許文献１】特開２００２−３７３１６８号公報
【特許文献２】特開２０００−１６１９８０号公報
【発明の開示】
【発明が解決しようとする課題】
【０００４】
しかしながら、画像データの撮影場所名や、画像データに関するその他の情報、例えば、撮影場所名から連想される情報を容易に検索することができるＷｅｂページは提供されていなかった。この結果、特定の画像データの位置情報に基づいて、画像データの撮影場所名や、画像データに関するその他の情報をＷｅｂ上から取得することは困難であった。
【０００５】
本発明は、上記課題を解決するためになされたものであり、画像データの位置情報に基づいて検索することができるウェブページデータを作成することを目的とする。
【課題を解決するための手段】
【０００６】
上記課題を解決するために本発明の第１の態様は、ウェブ（Ｗｅｂ）ページデータの作成装置を提供する。本発明の第１の態様に係るウェブページデータ作成装置は、緯度および経度を含む位置情報を取得する位置情報取得手段と、前記取得された位置情報に含まれる緯度および経度によって特定される位置の周辺情報を取得する周辺情報取得手段と、前記取得された位置情報および周辺情報を含むウェブページデータを生成するウェブページデータ生成手段とを備える。
【０００７】
本発明の第１の態様に係るウェブページデータ作成装置によれば、取得された位置情報および周辺情報を含むウェブページデータを生成することができるので、画像データの位置情報に基づいて検索可能なウェブページデータを作成することができる。
【０００８】
本発明の第１の態様に係るウェブページデータ作成装置はさらに、
前記位置情報を入力するための入力手段を備え、前記位置情報取得手段は、前記入力された位置情報を取得しても良い。この場合には、入力手段を介して入力された位置情報を用いてウェブページデータが作成される。
【０００９】
本発明の第１の態様に係るウェブページデータ作成装置はさらに、
施設に関する情報を入力するための施設情報入力手段と、施設に関する情報と位置情報とを対応付けて格納する位置情報格納手段を備え、前記位置情報取得手段は、前記入力された施設に関する情報を用いて前記位置情報を取得しても良い。この場合には、施設に関する情報を用いて位置情報を取得することができる。
【００１０】
本発明の第１の態様に係るウェブページデータ作成装置はさらに、
施設に関する情報を入力するための施設情報入力手段を備え、前記ウェブページデータ作成装置は、施設に関する情報と位置情報とを対応付けて格納する位置情報データベースサーバと接続されており、前記位置情報取得手段は、前記入力された施設に関する情報を用いて前記位置情報データベースサーバから前記位置情報を取得しても良い。この場合には、施設に関する情報を用いて位置情報を取得することができる。
【００１１】
本発明の第１の態様に係るウェブページデータ作成装置はさらに、
施設に関する情報を入力するための施設情報入力手段と、施設に関する情報と、位置情報および周辺情報と、を対応付けて格納する位置周辺情報格納手段とを備え、前記位置情報取得手段は、前記入力された施設に関する情報を用いて位置情報および周辺情報を取得しても良い。この場合には、施設に関する情報を用いて位置情報および周辺情報を取得することができる。
【００１２】
本発明の第１の態様に係るウェブページデータ作成装置はさらに、
施設に関する情報を入力するための施設情報入力手段を備え、前記ウェブページデータ作成装置は、施設に関する情報と、位置情報および周辺情報と、を対応付けて格納する位置周辺情報データベースサーバと接続されており、前記位置情報取得手段は、前記入力された施設に関する情報を用いて前記位置周辺情報データベースサーバから前記位置情報および周辺情報を取得しても良い。この場合には、施設に関する情報を用いて位置情報および周辺情報を取得することができる。
【００１３】
本発明の第１の態様に係るウェブページデータ作成装置において、前記位置情報は施設の位置を緯度および経度で特定する情報であり、前記周辺情報は、前記位置情報により特定される前記施設の中心位置、および前記中心位置に対する範囲を示す情報を含んでも良い。この場合には、周辺情報に基づいて施設の位置を所定の範囲で表すことができる。
【００１４】
本発明の第１の態様に係るウェブページデータ作成装置において、前記位置情報は施設の位置を緯度および経度で特定する情報であり、前記周辺情報は、前記位置情報により特定される前記施設の領域を示す多角形の頂点位置情報を含んでも良い。この場合には、周辺情報に基づいて施設の位置を領域によって表すことができる。
【００１５】
本発明の第１の態様に係るウェブページデータ作成装置はさらに、
前記位置情報により特定される施設に関する情報を取得する施設情報取得手段を備え、
前記ウェブページデータ作成装置は、施設に関する情報と周辺情報とを対応付けて格納する周辺情報データベースサーバと接続されており、前記周辺情報取得手段は、前記取得した施設に関する情報に基づいて、前記周辺情報データベースサーバから前記周辺情報を取得しても良い。この場合には、位置情報に基づいて取得された施設に関する情報に基づいて、周辺情報データベースサーバから周辺情報を取得することができる。
【００１６】
本発明の第１の態様に係るウェブページデータ作成装置はさらに、
施設に関する情報と周辺情報とを対応付けて格納する周辺情報格納手段と、前記位置情報により特定される施設に関する情報を前記周辺情報格納手段から取得する施設情報取得手段とを備え、
前記周辺情報取得手段は、前記取得した施設に関する情報に基づいて、前記周辺情報データベースサーバから前記周辺情報を取得しても良い。この場合には、位置情報に基づいて取得された施設に関する情報に基づいて、周辺情報格納手段から周辺情報を取得することができる。
【００１７】
本発明の第１の態様に係るウェブページデータ作成装置において、前記ウェブページデータ生成手段は、ハイパーテキストマークアップ言語データにタグを用いて前記位置情報および周辺情報を記述することによって前記ウェブページデータを作成しても良い。この場合には、位置情報および周辺情報を一定の規則に従い記述することが可能となり、ウェブページデータの検索を容易にすることができる。
【００１８】
本発明の第２の態様は、計算機において実行されるウェブ（Ｗｅｂ）ページデータの作成方法を提供する。本発明の第２の態様に係るウェブページデータ作成方法は、緯度および経度を含む位置情報を取得し、前記取得された位置情報に含まれる緯度および経度によって特定される位置の周辺情報を取得し、前記取得された位置情報および周辺情報を含むウェブページデータを生成することを備える。
【００１９】
本発明の第２の態様に係るウェブページデータ作成方法によれば、本発明の第１の態様に係るウェブページデータ作成装置と同様の作用効果を得ることができると共に、本発明の第２の態様にウェブページデータ作成方法は、本発明の第１の態様に係るウェブページデータ作成装置と同様にして種々の態様にて実現され得る。
【００２０】
本発明の第２の態様に係る方法は、この他にも、プログラム、およびプログラムを記録したコンピュータが読み取り可能な記録媒体としても実現され得る。
【発明を実施するための最良の形態】
【００２１】
以下、本発明に係るＷｅｂページデータ作成装置およびＷｅｂページデータ作成方法について図面を参照しつつ、実施例に基づいて説明する。
【００２２】
図１〜図６を参照して本実施例に係るＷｅｂ（ウェブ）ページデータ作成装置について説明する。図１は本実施例に係るＷｅｂページデータ作成装置によって実行されるＷｅｂページデータ作成処理の概略を示す説明図である。図２は本実施例に係るＷｅｂページデータ作成装置の内部構成を示す概略説明図である。図３は本実施例に係るＷｅｂページデータ作成装置の外部記憶装置に格納されているＷｅｂページデータ作成プログラムおよび各種テーブルを模式的に示す説明図である。図４は施設名−位置情報テーブルの一例を示す説明図である。図５は施設名−周辺情報テーブルの一例を示す説明図である。図６は施設名−位置・周辺情報テーブルの一例を示す説明図である。
【００２３】
Ｗｅｂページデータ作成装置１０には、Ｗｅｂページに記述すべき位置情報を特定するための情報として位置情報、あるいは、施設名情報がユーザによって入力される。施設名情報が入力された場合には、入力された施設名情報に基づいて施設名−位置情報対応テーブルＴ１または施設名−位置情報データベース３０から位置情報が取得される。Ｗｅｂページデータ作成装置１０は、取得した位置情報に基づいて施設名−周辺情報対応テーブルＴ２または施設名−周辺情報データベース３１から周辺（以下、エリアともいう）の情報を取得する。ここで、施設名情報に基づいて、施設名−位置・周辺情報テーブル（データベース）から、位置情報および周辺情報が同時に取得されても良い。
【００２４】
Ｗｅｂページデータ作成装置１０は、取得した位置情報および周辺情報をタグ情報としてＷｅｂページデータに記述して、位置情報および周辺情報を含むＷｅｂページデータを作成し、ｗｗｗサーバへアップロードする。Ｗｅｂページデータは、例えば、ＨＴＭＬ（Hyper Text Markup Language）によって記述され、位置情報および周辺情報は、ＨＴＭＬタグとして記述される。
【００２５】
本実施例に係るＷｅｂページデータ作成装置１０は、例えば、インターネットに接続可能な一般的な計算機である。Ｗｅｂページデータ作成装置１０は、図２に示すように、制御回路１１、外部記憶装置１２、入出力操作部１３、データ入出力部１４を備えている。制御回路１１は、バスによって相互に接続されている中央演算装置（ＣＰＵ）１１１、メモリ１１２およびＩ／Ｏインターフェース１１３を備えている。ＣＰＵ１１１は、位置情報、施設名情報、周辺情報の取得、Ｗｅｂページデータに対する位置情報および周辺情報の記述といったＷｅｂページデータ作成処理を始めとする各種演算処理を実行する。メモリ１１２は、取得された位置情報、施設名情報、周辺情報を一時的に格納する内部記憶装置である。Ｉ／Ｏインターフェース１１３は、制御回路１１の外部回路との間でコマンド、データを送受信する。
【００２６】
外部記憶装置１２は、例えば、ハードディスクドライブ（ＨＤＤ）といった不揮発性の記憶装置であり、ＣＰＵ１１１によって実行されるプログラム、例えば、Ｗｅｂページデータ作成プログラム、施設名−位置情報対応テーブルＴ１、施設名−周辺情報対応テーブルＴ２、および施設名−位置・周辺情報対応テーブルＴ３を格納する。
【００２７】
入力操作部１３は、外部からの入力を受け付けるインターフェース部であり、例えば、キーボード、マウスといった外部入力装置が接続される。ユーザからの指示は、外部入力装置を介してＷｅｂページデータ作成装置１０に入力される。
【００２８】
データ入出力部１４は、ネットワーク接続ケーブルが接続される端子、並びに信号変換処理機能を有し、ネットワークを介して外部計算機（サーバ）にアクセスするために用いられる。より具体的には、データ入出力部１４は、ローカルエリアネットワークを介して施設名−位置情報サーバ３０および施設名−周辺情報サーバ３１に接続され、さらに図示しないルータを介してインターネットに接続され、施設名−位置情報サーバ３０および施設名−周辺情報サーバ３１にアクセスする。
【００２９】
Ｗｅｂページデータ作成装置１０にはさらに、表示装置２０が接続されている。表示装置２０には、ブラウザーソフトを介して、作成中のＷｅｂページデータに基づくＷｅｂページが表示される。
【００３０】
図３〜図６を参照して外部記憶装置１２に格納され、ＣＰＵ１１１によって実行されるＷｅｂページデータ作成プログラムＰ１、施設名−位置情報テーブルＴ１、施設名−周辺情報テーブルＴ２、施設名−位置・周辺情報テーブルＴ３について説明する。Ｗｅｂページデータ作成プログラムＰ１は、位置情報取得モジュールＭ１、周辺情報取得モジュールＭ２、施設情報取得モジュールＭ３、Ｗｅｂページデータ作成モジュールＭ４、アップロード実行モジュールＭ５を備えている。
【００３１】
図４に示すように、施設名−位置情報テーブルＴ１は、施設に関する情報として施設名（地名）とその施設の代表的な位置情報とを対応付けて格納している。図５に示すように、施設名−周辺情報テーブルＴ２は、施設に関する情報として施設名（地名）とその施設の領域を示す周辺情報とを対応付けて格納している。図６に示すように施設名−位置・周辺情報テーブルＴ３は、施設に関する情報として施設名（地名）とその施設の代表的な位置情報および施設の領域を示す周辺情報とを対応付けて格納している。
【００３２】
位置情報取得モジュールＭ１は、入力操作部１３を介して入力された経度・緯度を含む位置情報を取得する。あるいは、位置情報取得モジュールＭ１は、入力操作部１３を介して入力された施設情報に基づいて外部記憶装置１２に格納されている施設名−位置情報対応テーブルＴ１から、または、施設名−位置情報サーバ３１に格納されている施設名−位置情報データベースから経度・緯度情報を含む位置情報を取得する。なお、位置情報は特定の施設の地理的な位置を特定するための情報である。また、施設名は、施設に関する情報の一例であり、この他にも、例えば、地名、住所、電話番号、郵便番号が用いられても良い。さらに、施設は、建物に限られず、公園、山、湖といった特定の場所であっても良い。
【００３３】
周辺情報取得モジュールＭ２は、取得された位置情報または施設情報に基づいて、外部記憶装置１２に格納されている施設名−周辺情報対応テーブルＴ２から、または、施設名−周辺情報サーバ３２に格納されている施設名−周辺情報データベースから施設の領域を示す周辺情報を取得する。なお、周辺情報は、施設に関わる地理的な領域、範囲を示す情報である。位置情報は、特定の施設の代表的な１地点を指し示すが、利用者にとっては、施設を含むある程度の領域、範囲は特定の施設であると認識される。したがって、周辺情報を用いることによって、利用者の感覚に沿う検索が可能なＷｅｂページデータを作成することができる。
【００３４】
なお、外部記憶装置１２に施設名−位置・周辺情報対応テーブルＴ３が備えられている場合、あるいは、外部サーバに施設名−位置・周辺情報データベースが格納されている場合には、入力された施設に関する情報（施設名）に基づいて、位置情報および周辺情報が取得される。
【００３５】
施設情報取得モジュールＭ３は、施設名−位置情報対応テーブルＴ１を用いて、入力操作部１３を介して入力された位置情報から施設に関する情報（施設名）を取得する。取得された施設名は、周辺情報取得モジュールＭ２によって利用され、施設名−周辺情報対応テーブルＴ２または施設名−周辺情報データベースから、周辺情報が取得される。
【００３６】
Ｗｅｂページデータ生成モジュールＭ４は、例えば、予め作成されているＨＴＭＬフォーマットのＷｅｂページデータに対して、取得された位置情報および周辺情報をタグ情報として記述して、位置情報および周辺情報を含むＷｅｂページデータを生成する。あるいは、Ｗｅｂページデータ作成モジュールＭ４は、取得された位置情報および周辺情報をタグ情報として含むと共に他のコンテンツ情報、例えば、内容説明文、画像データを含むＨＴＭＬフォーマットのＷｅｂページデータを生成する。
【００３７】
アップロード実行モジュールＭ５は、生成されたＷｅｂページデータを、インターネットを介してｗｗｗサーバにアップロードする。この結果、生成された位置情報および周辺情報を含むＷｅｂページデータは、ＨＴＴＰ（Hypertext Transfer Protocol）を通じて、Ｗｅｂページデータ閲覧ソフトによってＷｅｂページとして閲覧可能となる。
【００３８】
図７〜図１２を参照して本実施例に係るＷｅｂページデータ作成装置１０によって実行されるＷｅｂページデータ作成処理について説明する。図７は本実施例に係るＷｅｂページデータ作成装置によって実行されるＷｅｂページデータ作成処理ルーチンを示すフローチャートである。図８は施設名、位置情報、および周辺情報のデータベースの一例を示す説明図である。図９は位置情報を示すタグの記述例を示す説明図である。図１０は位置情報および位置情報の範囲を示すタグの記述例を示す説明図である。図１１は位置情報を含む領域を示すタグの記述例を示す説明図である。図１２は位置情報を含む領域を示すタグによって表される領域を模式的に示す説明図である。
【００３９】
ＣＰＵ１１１は、入力操作部１３を介して入力されたテキストデータ、画像データを用いてＨＴＭＬデータ（Ｗｅｂページデータ）を作成する（ステップＳ１００）。ＣＰＵ１１１は、Ｗｅｂページデータに含まれる施設の位置情報を取得し（ステップＳ１０２）、さらにＷｅｂページデータに含まれる施設の周辺情報を取得する（ステップＳ１０４）。すなわち、本実施例では、Ｗｅｂページデータは施設に関するＷｅｂページを提供するものであり、Ｗｅｂページに含まれる施設についての位置情報および周辺情報がＷｅｂページデータに記述される。なお、施設には、建物の他に、公園、山、湖といった特定の場所も含まれる。
【００４０】
施設の位置情報の取得は、入力操作部１３を介して施設の位置（緯度、経度）が入力される場合には、入力された位置を取得することにより実行される。一方、入力操作部１３を介して施設に関する情報、例えば、施設名が入力される場合には、ＣＰＵ１１１は、施設名−位置情報対応テーブルＴ１を参照することにより、あるいは、施設名−位置情報データベースを参照することによって、施設名から位置情報を取得する。なお、施設名は施設に関する情報の一例であり、この他にも、地名、電話番号、住所、郵便番号といった、施設の位置を特定できるものであれば良い。
【００４１】
施設の周辺情報の取得は、入力操作部１３を介して施設の位置（緯度、経度）が入力される場合には、ＣＰＵ１１１が、施設名−位置情報対応テーブルＴ１を参照することにより、あるいは、施設名−位置情報データベースを参照することによって、位置情報から施設名からを取得する。ＣＰＵ１１１は、取得された施設名を用いて、施設名−周辺情報対応テーブルＴ２を参照することにより、あるいは、施設名−周辺情報データベースを参照することによって、施設名から周辺情報を取得する。
【００４２】
一方、入力操作部１３を介して施設に関する情報、例えば、施設名が入力される場合には、ＣＰＵ１１１は、取得された施設名を用いて、施設名−周辺情報対応テーブルＴ２を参照することにより、あるいは、施設名−周辺情報データベースを参照することによって、施設名から周辺情報を取得する。なお、位置情報−周辺情報対応テーブル、あるいは、位置情報−周辺情報データベースが用意される場合には、ＣＰＵ１１１は、位置情報から周辺情報を取得することができる。
【００４３】
さらに、施設名−位置・周辺情報対応テーブルＴ３または図８に示すような施設名−位置・周辺情報データベースが用いられる場合は、ＣＰＵ１１１は、入力操作部１３から入力される施設名を用いて、位置情報および周辺情報を同時に取得する。
【００４４】
ＣＰＵ１１１は、取得した位置情報および周辺情報をＨＴＭＬデータにタグ情報として記述する。位置情報は、例えば、図９に示すようにタグ情報として記述される。ここでは、Ｗ３Ｃ（World Wide Web Consortium）のRDF Interest Groupによって提案されているGeo vocabularyが用いられている。
【００４５】
周辺情報は、例えば、図１０に示すように、位置情報によって特定される緯度、経度のレンジとして記述されても良く、あるいは、図１１に示すように、位置情報によって特定される緯度、経度を囲む多角形の頂点位置（緯度、経度）として記述されても良い。なお、位置情報、周辺情報の記述形式は、図９〜図１１の例に限定されるものではなく、ＨＴＭＬデータを解釈するＷｅｂ閲覧ソフトによって解釈可能な記述形式であれば良い。例えば、図１０および図１１の例では、オリジナルのタグが用いられている。
【００４６】
図１１に示すタグによって記述される位置情報および周辺情報によって、図１２に示す領域が表される。すなわち、一般的に、施設の位置情報は、施設の特定の場所、例えば、正門、正面玄関をピンポイントで表しているが、周辺情報を用いることによって、施設が占める領域についても表すことができる。
【００４７】
ＣＰＵ１１１は、作成されたＷｅｂページデータをインターネットを介してｗｗｗサーバにアップロード（ステップＳ１０８）して本処理ルーチンを終了する。ｗｗｗサーバにアップロードされたＷｅｂページデータは、ＵＲＬによってｗｗｗサーバ上における格納位置（アドレス、ディレクトリ）が指定される。すなわち、Ｗｅｂ閲覧ソフトにおいて、ＵＲＬを指定することによって、Ｗｅｂページデータに基づくＷｅｂページが閲覧される。
【００４８】
以上説明した本実施例に係るＷｅｂページデータ作成装置１０によれば、Ｗｅｂページデータに施設の位置情報および周辺情報を記述することができる。また、Ｗｅｂページデータに施設の位置情報および周辺情報を記述するに当たっては、位置情報から施設名、周辺情報を取得することや、施設名から位置情報および周辺情報を取得することができるので、施設の位置情報および周辺情報を有するＷｅｂページデータを容易に作成することができる。また、位置情報および周辺情報には、経度および緯度に加えて方向に関する情報が含まれていても良い。
【００４９】
また、本実施例に係るＷｅｂページデータ作成装置１０によって施設の位置情報および周辺情報を有するＷｅｂページデータを作成することによって、各Ｗｅｂページ（Ｗｅｂページデータ）を、位置情報に基づいて施設に関する情報を引き出すためのデータベースとして利用することができる。
【００５０】
さらに、施設の任意の１点を示す位置情報に加えて、周辺情報が用いられるので、経度および緯度情報によって施設を検索する場合にも、施設の検索成功率を向上させることができるＷｅｂページデータを作成することができる。
【００５１】
・その他の実施例：
上記実施例では、ＷｅｂページデータとしてＨＴＭＬにより記述されたデータを例にとって説明したが、この他にもＸＭＬ、ＳＧＭＬといったマークアップ言語が用いられても良い。いずれの場合にも、施設の位置情報および周辺情報をタグ情報として記述することができれば上記実施例と同様の作用効果を得ることができる。
【００５２】
上記実施例では、Ｗｅｂページデータに位置情報、周辺情報、および施設情報が記述されているが、施設名−周辺情報変換サービスをＣＧＩ（Common Gateway Interface）として用意し、Ｗｅｂページデータには、施設名を引数として、このＣＧＩを呼び出す記述をし、戻り値として周辺情報が返されるようにしても良い。かかる場合には、Ｗｅｂ閲覧ソフトによってＷｅｂページデータが閲覧される際に、施設の位置情報、周辺情報が取得される。
【００５３】
上記実施例では、Ｗｅｂページデータ作成処理がソフトウェア的に、すなわちコンピュータプログラムの態様にて実行されているが、上記各処理（ステップ）を実行する論理回路を備えたハードウェア回路を用いて実行されてもよい。かかる場合には、ＣＰＵ１１１の負荷を軽減することができると共に、より高速な各処理を実現することができる。ハードウェア回路は、例えば、パーソナルコンピュータに対するアドオンカードとして実装され得る。
【００５４】
以上、いくつかの実施例に基づき本発明に係るウェブページデータ作成装置、ウェブページデータ作成方法（プログラム）を説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００５５】
【図１】本実施例に係るＷｅｂページデータ作成装置によって実行されるＷｅｂページデータ作成処理の概略を示す説明図である。
【図２】本実施例に係るＷｅｂページデータ作成装置の内部構成を示す概略説明図である。
【図３】本実施例に係るＷｅｂページデータ作成装置の外部記憶装置に格納されているＷｅｂページデータ作成プログラムおよび各種テーブルを模式的に示す説明図である。
【図４】施設名−位置情報テーブルの一例を示す説明図である。
【図５】施設名−周辺情報テーブルの一例を示す説明図である。
【図６】施設名−位置・周辺情報テーブルの一例を示す説明図である。
【図７】本実施例に係るＷｅｂページデータ作成装置によって実行されるＷｅｂページデータ作成処理ルーチンを示すフローチャートである。
【図８】施設名、位置情報、および周辺情報のデータベースの一例を示す説明図である。
【図９】位置情報を示すタグの記述例を示す説明図である。
【図１０】位置情報および位置情報の範囲を示すタグの記述例を示す説明図である。
【図１１】位置情報を含む領域を示すタグの記述例を示す説明図である。
【図１２】位置情報を含む領域を示すタグによって表される領域を模式的に示す説明図である。
【符号の説明】
【００５６】
１０…画像データベース構築装置
１１…制御回路
１１１…中央演算装置（ＣＰＵ）
１１２…メモリ
１１３…Ｉ／Ｏインターフェース
１２…外部記憶装置
１３…入力操作部
１４…データ入出力部
２０…表示装置
３０…施設名−位置情報サーバ
３１…施設名−周辺情報サーバ
Ｐ１…Ｗｅｂページデータ作成プログラム
Ｍ１…位置情報取得モジュール
Ｍ２…周辺情報取得モジュール
Ｍ３…施設情報取得モジュール
Ｍ４…Ｗｅｂページデータ生成モジュール
Ｍ５…アップロード実行モジュール
【図１】
2006277168.tif 000003
【図２】
2006277168.tif 000004
【図３】
2006277168.tif 000005
【図４】
2006277168.tif 000006
【図５】
2006277168.tif 000007
【図６】
2006277168.tif 000008
【図７】
2006277168.tif 000009
【図８】
2006277168.tif 000010
【図９】
2006277168.tif 000011
【図１０】
2006277168.tif 000012
【図１１】
2006277168.tif 000013
【図１２】
2006277168.tif 000014